【事件の表示】
　上記当事者間の登録第５３０２３８７号商標の登録取消審判事件について，次のとおり審決する。
【結　論】
　登録第５３０２３８７号商標の指定商品中，第２５類「運動用特殊衣服，運動用特殊靴（「乗馬靴」を除く。）」についての商標登録を取り消す。
　審判費用は，被請求人の負担とする。
【理　由】
第１　本件商標
　本件登録第５３０２３８７号商標（以下「本件商標」という。）は，「ＴＯＸＩＣ」の文字を標準文字で表してなり，平成２１年５月１１日に登録出願，第１８類「かばん類，袋物」及び第２５類「洋服，コート，セーター類，ワイシャツ類，寝巻き類，下着，水泳着，水泳帽，アイマスク，エプロン，えり巻き，靴下，ゲートル，毛皮製ストール，ショール，スカーフ，足袋，足袋カバー，手袋，布製幼児用おしめ，ネクタイ，ネッカチーフ，バンダナ，保温用サポーター，マフラー，耳覆い，ずきん，すげがさ，ナイトキャップ，防暑用ヘルメット，帽子，靴類（「靴合わせくぎ・靴くぎ・靴の引き手・靴びょう・靴保護金具」を除く。），運動用特殊衣服，運動用特殊靴（「乗馬靴」を除く。）」を指定商品とし，同２２年２月１９日に設定登録されたものである。
　そして，本件審判の請求の登録は，平成２９年４月１９日にされた（以下，当該登録前３年以内を「要証期間」という。）
第２　請求人の主張の要点
　請求人は，結論同旨の審決を求め，その理由を要旨次のように述べ，証拠方法として甲第１号証ないし甲第６号証を提出した。
１　請求の理由
　本件商標は，その指定商品中，第２５類「運動用特殊衣服，運動用特殊靴（「乗馬靴」を除く。）」について，継続して３年以上日本国内において商標権者，専用使用権者又は通常使用権者のいずれもが使用した事実が存しないから，商標法第５０条第１項の規定により取り消されるべきである。
２　答弁に対する弁駁
（１）サムライ社に係る使用について
　商品カタログ（乙１）は，「輸入販売元株式会社サムライ　サムラー事業部」（以下「サムライ社」という。）が発行したと推認されるカタログであり，「２０１６　ｓｕｍｍｅｒ　ｃｏｌｌｅｃｔｉｏｎ」との表示はあるが，発行日の記載がなく，展示又は頒布等の事実を裏付ける証拠も提出されていない。
　被請求人は，サムライ社と本件商標権者又は通常使用権者とが，「長年にわたり運動用特殊衣服をはじめとする各種衣服関連商品の製造販売において協力して事業を行ってきた」事実を前提に，るる主張するが，この前提事実の証明が一切なされていない以上，被請求人の主張はすべて理由がないものである。
（２）村瀬商会に係る使用について
　商品カタログ（乙２）は，合資会社村瀬商会（以下「村瀬商会」という。）が発行したと推認されるカタログであり，「Ｓｎｏｗｂｏａｒｄ　Ｗｅａｒ　Ｃｏｌｌｅｃｔｉｏｎ　２０１６」との表示はあるが，発行日の記載がなく，展示又は頒布等の事実を裏付ける証拠も提出されていない。
　被請求人は，上述のサムライ社の場合と同様，「長年にわたり運動用特殊衣服をはじめとする各種衣服関連商品の製造販売において協力して事業を行ってきた」事実を前提に，るる主張するが，この前提事実の証明が一切なされていない以上，被請求人の主張はすべて理由がないものである。
　商品パンフレット（乙３）は，発行者が不明である。「２０１６」との表示はあるが，発行日の記載がなく，展示又は頒布等の事実を裏付ける証拠も提出されていない。
（３）その他の使用について
　ア　仕入伝票（乙４，乙５）について
　仕入伝票（乙４，乙５）は，有限会社ミックコーポレーション（以下「ミック社」という。）がサムライ社からラッシュガード，サーフパンツ，レディースパンツ，メンズサーフを仕入れたことを証明するものだが，本件仕入伝票に記載の商品番号と，納品書（控）（乙６）に記載の商品番号とが全く一致しないため，乙第４号証及び乙第５号証の存在が乙第６号証の信憑性を高める役割も果たしていない。
　イ　納品書（乙６），仕入伝票（乙７）及び宅配便控（乙８）について
　納品書（乙６）は，商品ごとの小計の記載や合計金額の記載がなく，仮をマルで囲んだ記載が存在するなど，記載が不自然である。他の証拠が統一伝票で揃えられているにもかかわらず，納品書のみが簡易な伝票であることも不自然感が否めない。
　仕入伝票（乙７）は，村瀬商会に対する譲渡又は引渡しを証明するのであれば，統一伝票の「物品受領書」又は「納品書（控）」が提出されてしかるべきである。宛先が「（有）ミックコーポレーション様」となっている「仕入伝票」は，村瀬商会からミック社ヘの譲渡又は引渡しの証拠になり得るかもしれないが，村瀬商会に対する譲渡又は引渡しを証明することにはならない。
　宅配便控（乙８）は，ヤマト運輸では東京都台東区から大阪市天王寺区への配送においては存在しない当日配達サービス（受付日２９年２月１６日でご希望のお届け日２月１６日）を要求している点，発払なのに領収印がない点，お届け予定日の記載がない点，乙第６号証に記載の商品群を配達する荷物にしてはコンパクトすぎる（サイズ６０）点等々，とても客観的で信憑性のある証拠書類とはいえない。
　ウ　インターネット掲載記事（乙９）及び商品を撮影した写真（乙１０）について
　インターネット掲載記事（乙９）は，アマゾンのウェブページの画面をプリントアウトしたものと思われるが，このウェブページに商品情報等アップロードした出品者と被請求人との関係が不明である。商品を撮影した写真（乙１０）は，撮影日時を証明する証拠がなく，この商品が存在していた日時やこの商品と納品書（控）（乙６）に記載の商品との関係も不明である。
　エ　納品書（控）（乙１２），請求書（控）（乙１３，１４），領収書（控）及び納品書（控）（乙１６〜乙１９）について
　株式会社ミヤマ（以下「ミヤマ社」という。），有限会社アースカンパニー（以下「アースカンパニー社」という。），株式会社三愛販売（以下「三愛販売」という。），及び株式会社プラスワン・ショップ（以下「プラスワン・ショップ」という。）のホームページの掲載内容からすれば，当該店舗で，スポーツに限って使用する運動用特殊衣服としてのラッシュガードを取り扱っているようには見受けられない。「ラッシュガード」と称する商品には，ウェットスーツと同様の沖に出るサーファーが着用する本格的な商品から，単にビーチで着用される機会が多いだけの日用品と同等の衣服や，一般的な水着と差異のない商品までさまざまなものが含まれる。これらの店舗でサーフィンの際に専ら使用する機能等を有する本格的なラッシュガード，すなわち「運動用特殊衣服」の商品該当性が認められるラッシュガードが取り扱われているとは到底思われない。
（４）商品「ラッシュガード」及び「スノーボードウェア」について
　ア　被請求人は，「商品『ラッシュガード』は，ワンウェイ，ツーウェイといった素材を用いて，着用時に身体にぴったりフィットする運動用特殊衣服としてのラッシュガード特有の機能を有するものである。」と説明するが，生地となる素材について，ワンウェイ，ツーウェイとは，素材の伸び方を示しており，ワンウェイは，縦または横方向のみ伸びることを意味し，ツーウェイとは，縦および横の両方向に伸びることを意味するものであって，カットソー等の日用衣服においてワンウェイは採用されており，日用の水着やコンプレッションウェアにおいてもツーウェイは採用されている。
　そうすると，被請求人の商品「ラッシュガード」は，一般的な水着や日用のコンプレッションウェアと差異のない商品であるといえる。
　イ　被請求人の商品「スノーボードウェア」が運動用特殊衣服に該当するという主張の根拠として，Ｗａｔｅｒｐｒｏｏｆ：１０，０００ｍｍ／Ｂｒｅａｔｈｂｌｅ：１０，０００ｍｇと記載された商品のタグを挙げているが，この程度の機能は，例えば，日用品としてのレインウェアで散見されるものある。楽天市場で販売されているレインウェア（甲６，透湿度：１０，０００ｇ／平方メートル／２４時間，耐水圧：１０，０００ｍｍ）があり，その他アマゾンやワークマンのウェブページにも同等機能のレインウェアが多数存在する。
　したがって，「こうした特殊化工を備える被覆をスノーボード等の運動時以外の日用被服として選択することは通常考えられない」旨の主張は，失当である。
第３　被請求人の答弁
　被請求人は，本件審判の請求は成り立たない，審判費用は請求人の負担とする，との審決を求め，その理由を要旨次のように述べ，証拠方法として，乙第１号証ないし乙第２４号証を提出した。
１　本件商標の使用に至るまでの経緯について
　本件商標を付した各商品の大部分は，サーフィン・スノーボード関連商品を自ら企画・デザインする本件商標権者が，サムライ社（担当はサムラー事業部）に製造依頼したものである。サムライ社は，当該商品を中華人民共和国において製造し，平成２４年６月に当該商品を輸入している（乙２０）。
　そして，輸入された当該商品を本件商標権者又は通常使用権者のミック社（以下「商標権者等」という。）が，サムライ社より（本件商標を付した商品以外の商品を含め）数年にわたり何度かに分け相当量を購入している（乙４，乙５）。
　なお，輸入された商品中，サムライ社によっても販売される商品が存在する。したがって，商品カタログ（乙１）には，「輸入販売元」との記載がある。また，当該商品カタログに記載される「株式会社　サムラー事業部」は，本来記載すべき「株式会社サムライ　サムラー事業部」の誤記である。
２　サムライ社に係る使用について
　商品カタログ（乙１，「２０１６　ｓｕｍｍｅｒ　ｃｏｌ１ｅｃｔｉｏｎ」）には，例えば，本件商標が付された商品「ラッシュガード」が掲載されている（１１頁　Ｍｅｎ’ｓ　Ｌｕｓｈ　Ｇｕａｒｄ）。当該商品「ラッシュガード」は，サーフィン等のマリンスポーツにおいて，主として紫外線対策を目的として使用する「運動用特殊衣服」であり，商品「ラッシュガード」の特許庁類似群コードは「運動用特殊衣服」と同一の「２４Ｃ０１」となっている。なお，商品カタログ（乙１）に掲載される「ラッシュガード」以外の各種商品も，主としてサーフィンの際に使用される商品であり，「被服」としての性格を有しながら，「運動用特殊衣服」としての性格も併せ有している。
　サムライ社は，商標権者等とは，長年にわたり運動用特殊衣服をはじめとする各種衣服関連商品の製造販売において協力して事業を行ってきており，当該商品に付される商標については当然その使用を許諾する関係にある。したがって，商品カタログに掲載される本件商標を付した商品の販売等について，明示の契約書等は存在しないものの，サムライ社は，本件商標権者よりその使用を許諾されているものである。しかし，当該事実を証するサムライ社の陳述書を受領することはできなかった。
　なお，当該商品カタログは，デザインはじめ全体の監修者として本件商標権者が作成し，「４５プリントプロ日暮里支店」を通じ２０１６年（平成２８年）３月頃に作成したものであるが，作成日を証明する領収書等は発見されなかった。
３　村瀬商会に係る使用について
　商品カタログ（乙２，「Ｓｎｏｗｂｏａｒｄ　Ｗｅａｒ　ｃｏｌｌｅｃｔｉｏｎ　２０１６」）には，本件商標が付された商品「スノーボード用衣服」が各種掲載されている。当該商品はスノーボードを行う際に使用する「運動用特殊衣服」である。
　上記の商品カタログ（乙１，乙２）に掲載された商品には，商品本体，当該商品カタログ内において，「ｔｏｘｉｃ」の欧文字が顕著に配されたブランドロゴが使用されており，本件商標と社会通念上同一の商標が使用されている。
　村瀬商会は，主としてウィンタースポーツ用被服の製造販売において商標権者等と長年にわたり取引をする協力関係にあり（乙７），当該商品に付される商標については当然その使用を許諾する関係にある。したがって，当該商品カタログに掲載される本件商標を付した商品の販売等について，明示の契約書等は存在しないものの，村瀬商会は，本件商標権者よりその使用を許諾されているものである。
　なお，当該商品カタログは，デザインはじめ全体の監修者として本件商標権者が作成し，「４５プリントプロ日暮里支店」を通じ２０１６年（平成２８年）９月頃に作成したものであるが，作成日を証明する領収書等は発見されなかった。
　また，商品パンフレット（乙３）には，本件商標が付された商品「スノーボード用ブーツ」が掲載されている。当該商品「スノーボード用ブーツ」は，スノーボードを行う際に使用する「運動用特殊靴」であり，商品「スノーボード用ブーツ」の特許庁類似群コードは「運動用特殊靴」と同一の「２４Ｃ０１」となっている。
　上記の商品パンフレット（乙３）に掲載された商品には，商品本体，当該商品カタログ内において，「ｔｏｘｉｃ」の欧文字が顕著に配されたブランドロゴが使用されており，本件商標と社会通念上同一の商標が使用されている。
　なお，当該商品パンフレットは，デザインはじめ全体の監修者として本件商標権者が作成し，「４５プリントプロ日暮里支店」を通じ２０１６年（平成２８年）９月頃に作成したものであるが，作成日を証明する領収書等は発見されなかった。
４　その他の使用について
（１）ミック社は，代表取締役が本件商標権者と同一人であり，住所も本件商標権者の住所と同一である（乙１１）から，ミック社は，本件商標権者から黙示に許諾された通常使用権者として，商標法第５０条における商標の使用権者と評価されるべき者である。
（２）本件商標権者又は本件商標の通常使用権を黙示に許諾されたミック社は，サーフィン・スノーボード関連商品を自ら企画・デザインするなどして，当該商品の製造者であるサムライ社（住所東京都墨田区八広）に各種商品を製造依頼し，本件商標を付したラッシュガード等の商品を所有する（乙４，乙５）。
（３）本件商標権者又はミック社は，本件商標を付した商品「ラッシュガード」等をマリンスポーツ商品取扱業者である「株式会社トリプルスレット」（以下「トリプルスレット社」という。）や，スノーボード商品取扱業者である「村瀬商会」に譲渡又は引渡している（乙６〜乙８）。
　また，本件商標権者又はミック社は，本件商標を付した商品「ラッシュガード」等を衣料品その他各種商品取扱業者である「ミヤマ社」，スポーツ商品取扱業者である「アースカンパニー社」，各種商品取扱業者「三愛販売」，各種商品取扱業者「プラスワン・ショップ」に譲渡又は引渡している（乙１２〜１９）。
　なお，ミック社とミヤマ社との間で請求額と入金額との若干の差額は，請求後に生じた返品等によるものと推測する。
　本件商標を付した商品は，上記トリプルスレット社その他の業者を介して一般消費者に販売される（乙９）。
５　商品「ラッシュガード」及び「スノーボードウェア」について
　商品「ラッシュガード」は，ワンウェイ，ツーウェイといった素材を用いて，着用時に身体にぴったりフィットする運動用特殊衣服としてのラッシュガード特有の機能を有するものである。こうした着用時に強度に密着する被服をサーフィン等の運動時以外の日用被服として選択することは通常考えられない。
　商品「スノーボードウェア」は，スノーボードウェアとして特殊化工が施されており，運動用特殊衣服としての撥水機能と防水機能を有するものである（乙２２，２３）。こうした特殊化工を備える被服をスノーボード等の運動時以外の日用被服として選択することは通常考えられない。
第４　当審の判断
１　事実認定
　証拠及び被請求人の主張によれば，以下の事実が認められる。
（１）本件商標権者とミック社との関係について
　ミック社の履歴事項全部証明書には，代表役取締役として本件商標権者の氏名が記載されていることから，本件商標権者は，ミック社の代表取締役であるといえる（乙１１）。
（２）サムライ社に係る使用について
　「２０１６　ｓｕｍｍｅｒ　ｃｏｌｌｅｃｔｉｏｎ」の商品カタログ（乙１）の１１ページには，左上部にＸ字状の図形とその下部に「ｔｏｘｉｃ」の文字，その右に「Ｍｅｎ’ｓ　Ｌｕｓｈ　Ｇｕａｒｄ」の文字が表示されるとともに，品番を「ＴＸ２００」，「ＴＸ２０４」，「ＴＸ２０５」，「ＴＸ２２１」，「ＴＸ２３１」，「ＴＸ２２３」，「ＴＸ２３２」，「ＴＸ２２５」及び「ＴＸ２３５」とする９種類の商品「ラッシュガード」の左胸部分又は中央部分にＸ字状の図形と「ｔｏｘｉｃ」の文字が表示されている９種類の商品「ラッシュガード」の画像が掲載されている。そして，当該商品カタログの裏表紙には，「輸入販売元　株式会社　サムラー事業部」の文字が記載され，サムライ社の名称の記載はないが，被請求人は，「株式会社サムライ　サムラー事業部」の誤記である旨述べていることからすると，当該商品カタログは，サムライ社の出所に係るものと認められる。
　以上よりすると，当該商品カタログは，サムライ社の出所に係るものであり，当該カタログにおいて「Ｔｏｘｉｃ」の表示が商品「ラッシュガード」に使用されたことが認められる。
（３）村瀬商会に係る使用について
　「Ｓｎｏｗｂｏａｒｄ　Ｗｅａｒ　ｃｏｌｌｅｃｔｉｏｎ　２０１６」の商品カタログ（乙２）の２葉目には，右上部にＸ字状の図形とその下部に「ｔｏｘｉｃ」の文字，その右に大きく「ｔｏｘｉｃ（Ｒ）」（（Ｒ）は，登録商標であることを表示したものと認められる，○内に「Ｒ」の文字が小さく付されていることを表す。以下同じ。）の文字が表示されるとともに，品番を「ＴＸ５０２」，「ＴＸ５０３」，「ＴＸ５０５」，「ＴＸ６０２」，「ＴＸ６０３」及び「ＴＸ６０５」とする６種類の商品「スノーボード用衣服」の画像が掲載されている。そして，当該商品カタログの表紙には，「輸入販売元　合資会社　村瀬商会」が記載されていることからすると，当該商品カタログは，村瀬商会の出所に係るものであり，当該カタログにおいて「Ｔｏｘｉｃ」の表示が商品「スノーボード用衣服」に使用されたことが認められる。
　商品パンフレット（乙３）には，上部にＸ字状の図形とその下部に「ｔｏｘｉｃ（Ｒ）」及び「２０１６」の文字が表示され，品番を「ＴＸ５０２」及び「ＴＸ６０２」等とする商品「スノーボード衣服，スノーボード用ブーツ」の画像が掲載されているが，当該パンフレットの発行者の記載はない。
（４）ミック社とトリプルスレット社との取引について
　ア　納品書（控）（乙６）は，平成２９年２月１５日に，ミック社からトリプルスレット社に宛てたものであり，品名欄には「ラッシュガード半袖紳士ＴＸ２００」，「同ＴＸ２０５」，「同ＴＸ２０４」，「同長袖ＴＸ２２３」，「長袖ファスナーＴＸ２３１」，「同ＴＸ２３２」，「同ＴＸ２３５」とする商品「ラッシュガード」７枚に関する記載がある。
　イ　ミック社からトリプルスレット社へ「衣類」を配達依頼した宅配便の控（乙８）には，受付日に平成２９年２月１６日と記載されているものの，当該宅配便の控には，領収印がない。また，当該宅配便の控については，別途，「間違いなく配達致しました。」の手書き文字とヤマト運輸株式会社東日暮里５丁目センターの押印と丸判が押印されているものが提出された（乙２４）。
（５）ミック社と村瀬商会との取引について
　仕入伝票（乙７）は，平成２８年１２月１５日に，村瀬商会からミック社に宛てたものであり，品名・規格を「スノーボードウェアー／ＴＸ５０５」とする商品「スノーボードウェアー」３１０枚に関する記載がある。
（６）ミック社とミヤマ社との取引について
　ア　納品書（控）（乙１２）（伝票Ｎｏ０１８及び０１９）は，平成２６年５月２６日に，ミック社からミヤマ社に宛てたものであり，当該納品書には，品名「メンズラッシュガードＴＸ２００」，「同ＴＸ２０４」，「同ＴＸ２０５」，「同ＴＸ２２１」，「同ＴＸ２２３」，「同ＴＸ２２５」，「同ＴＸ２３１」，「同ＴＸ２３２」及び「同ＴＸ２３５」の記載とともに，それぞれ税込合計金額２２７，６１０円又は７２，１２２円の記載がある。
　また，請求書（控）（乙１３）は，平成２６年５月２８日に，ミック社からミヤマ社に宛てたものであり，税込合計金額３１７，９４１円の記載があり，そして，当該請求書の請求の詳細を記載した表には，同年５月２６日，品名「伝票Ｎｏ０１８　メンズラッシュガード各種」及び品名「伝票Ｎｏ０１９　メンズラッシュガード各種」として，２２７，６１０円及び６６，７８０円の記載がある。
　さらに，ミック社の普通預金通帳の記載（乙１５）によれば，平成２６年６月１３日に，ミヤマ社から，２９７，１７２円がミック社の普通預金口座に振り込まれた。
　イ　納品書（控）（乙１２）（伝票Ｎｏ０２０及び０２１）は，平成２６年６月４日に，ミック社からミヤマ社に宛てたものであり，「メンズラッシュガードＴＸ２００」，「同ＴＸ２０４」，「同ＴＸ２０５」，「同ＴＸ２２１」，「同ＴＸ２２３」，「同ＴＸ２２５」，「同ＴＸ２３１」，「同ＴＸ２３２」，「同ＴＸ２３５」並びに「レディースラッシュガードＲＰ１００」，「同ＲＰ１０２」及び「同ＲＰ１０４」の記載とともに，それぞれ税込合計金額４９２，８０４円又は４４６，６３４円の記載がある。
　また，請求書（控）（乙１４）は，平成２６年６月２８日に，ミック社からミヤマ社に宛てたものであり，税込合計金額１，０７１，６３０円と記載があり，そして，当該請求書の請求の詳細を記載した表には，同年６月４日，品名「伝票Ｎｏ０２０　メンズラッシュガード各種」及び品名「伝票Ｎｏ０２１　メンズ＆レディースラッシュガード各種」として，４５６，３００円又は４１３，５５０円の記載，及び同年６月１４日，品名「伝票Ｎｏ０２２　レディースラッシュガード各種」として，１２２，４００円の記載がある。
　さらに，ミック社の普通預金通帳の記載（乙１５）によれば，平成２６年７月１５日に，ミヤマ社から，１，０６９，８５８円がミック社の普通預金口座に振り込まれた。
（７）その他の取引について
　ア　ミック社とアースカンパニー社との取引について
　納品書（控）及び領収書（控）（乙１６）は，ミック社の作成に係る平成２６年５月３０日及び同年６月３日のミック社とアースカンパニー社の取引に関するものであり，品名を「メンズラッシュガードＴＸ２３１」，「同ＴＸ２３２」及び「同ＴＸ２３５」とする商品「ラッシュガード」１４５枚についてのものである。
　イ　ミック社とプラスワン・ショップとの取引について
（ア）納品書（控）及び領収書（控）（乙１７）は，ミック社の作成に係る平成２６年６月３日のミック社とプラスワン・ショップの取引に関するものであり，品名を「メンズラッシュガードＴＸ２２１」，「同ＴＸ２２３」及び「同ＴＸ２２５」とする商品「ラッシュガード」７９枚についてのものである。
（イ）納品書（控）及び領収書（控）（乙１８）は，ミック社の作成に係る平成２６年７月５日のミック社とプラスワン・ショップの取引に関するものであり，品名を「メンズラッシュガードＴＸ２３１」，「同ＴＸ２３２」及び「同ＴＸ２３５」とする商品「ラッシュガード」６７枚についてのものである。
　ウ　ミック社と三愛販売との取引について
　納品書（控）及び領収書（控）（乙１９）は，ミック社の作成に係る平成２８年６月２７日のミック社と三愛販売の取引に関するものであり，品名を「メンズラッシュガードＴＸ２２１」，「同ＴＸ２２３」及び「同ＴＸ２２５」とする商品「ラッシュガード」８１枚についてのものである。
２　判断
（１）本件商標権者とミック社との関係について
　上記１（１）によれば，本件商標権者はミック社の代表取締役であることからすると，本件商標の使用許諾を示す契約書等の提出はないとしても，本件商標権者とミック社には密接な業務上の繋がりが認められることは明らかであるから，本件商標権者は，ミック社に対して，本件商標の使用について，黙示の許諾を与えていたものと見て差し支えない。
　したがって，ミック社は，本件商標の通常使用権者であると推認することができる。
（２）サムライ社と村瀬商会との取引について
　上記１（２）によれば，商品カタログ（乙１），商品カタログ（乙２）には，共に「ｔｏｘｉｃ」の文字が表示され，それぞれ，サムライ社又は村瀬商会の出所表示に係るものと認められる。
　また，商品パンフレット（乙３）には，「ｔｏｘｉｃ」の文字が表示されているが，当該商品パンフレットには，出所を表示する記載は認められない。
　被請求人は，本件商品カタログ（乙１，乙２）及び本件商品パンフレット（乙３）は，２０１６年（平成２８年）９月頃に本件商標権者が作成した旨述べるが，これを裏付ける証拠の提出はなく，しかも，本件商標権者又は通常使用権者であるミック社がサムライ社及び村瀬商会に対し，本件商標について使用を許諾した証拠もない。
　以上よりすると，サムライ社又は村瀬商会による本件商品カタログ（乙１，２）に係る本件商標の使用は，本件商標権者又は通常使用権者による使用とは認められず，また，パンフレット（乙３）に係る本件商標の使用は，その使用者が特定できないことから，本件商標権者、専用使用権者又は通常使用権者による使用とは認めることはできない。
（３）ミック社の取引について
　ア　トリプルスレット社との取引について
　納品書（控）（乙６）は，本件商標の通常使用権者と認められるミック社の作成に係るものであって，商品カタログ（乙１）に掲載された商品の品番と当該納品書の品名に記載された商品の品番とが一致するとしても，当該納品書に係る取引を裏付ける納品先であるトリプルスレット社の発注書又は受領書等は提出されていない。
　また，被請求人は，トリプルスレット社への商品発送について，「ヤマト運輸東日暮里５丁目センター」に商品を持参し配送手続を行ったものであり，当該配送事実が間違いない旨の言質を得ている旨主張するが，宅配便の依頼主控（乙８，乙２４）の領収印の欄に荷物を引き受けた際の押印がないのは不自然であること，ヤマト運輸の担当者が１年以上前の配達をいかなる具体的事実に基づき証明しているかも不明であることから，当該宅配便の控は信憑性に欠けるといわざるを得ない。
　そうすると，ミック社とトリプルスレット社との取引については，商品カタログ（乙１）に掲載された商品の品番と納品書の品名に記載された商品の品番とが一致するとしても，当該納品書に係る取引を裏付ける納品先であるトリプルスレット社の発注書又は受領書等が提出されていないこと，宅配便の依頼主控（乙８，乙２４）が信憑性を欠くものであることを踏まえると，ミック社が要証期間内に本件商標が付された商品をトリプルスレット社に販売したと認めることはできない。
　イ　ミヤマ社との取引について
　納品書（控）（乙１２）は，本件商標の通常使用権者と認められるミック社の作成に係るものであるところ，当該納品書の品名に記載された商品の品番が商品カタログ（乙１）に掲載された商品の品番と一致する。しかしながら，当該納品書に係る取引を裏付ける納品先であるミヤマ社の発注書又は受領書等は提出されていない。
　また，納品書（控）（乙１２）のＮｏ．０１８に記載された２２７，６１０円と同Ｎｏ．１９に記載された７２，１２２円の合計額２９９，７３２円は，請求書（控）（乙１３）に記載された３１７，９４１円とは一致しない。さらに，請求書（控）（乙１３）に記載された３１７，９４１円と平成２６年６月１３日に，ミヤマ社からミック社の口座に振り込まれた２９７，１７２円（乙１５）とは，その金額が一致しない。同じく，平成２６年７月１５日に，ミック社の口座に振り込まれた１，０６９，８５８円（乙１５）についても，請求書（控）（乙１４）に記載された１，０７１，６３０円とは一致しない。
　この点について，被請求人は，請求額と入金額との若干の差額は，請求後に生じた返品等によるものと推測すると主張するが，これを裏付ける具体的な証拠を提出していないから，被請求人の主張は認められない。
　そうすると，ミック社とミヤマ社のとの取引については，商品カタログ（乙１）に掲載された商品の品番と納品書の品名に記載された商品の品番とが一致するとしても，当該納品書に係る取引を裏付ける納品先であるミヤマ社の発注書又は受領書等が提出されていないこと，納品書の金額と請求書の金額が一致しないこと及び請求書の金額と振込金額が一致しないことからすると，ミック社が要証期間内に本件商標が付された商品をミヤマ社に販売したと認めることはできない。
　ウ　その他の取引について
　領収書（控）及び納品書（控）（乙１６〜乙１９）は，本件商標の通常使用権者と認められるミック社の作成に係るものであるところ，当該納品書の品名に記載された商品の品番が商品カタログ（乙１）に掲載された商品の品番と一致する。しかしながら，当該納品書に係る取引を裏付ける納品先であるアースカンパニー社，プラスワン・ショップ，三愛販売の発注書又は受領書等は提出されていないから，ミック社が要証期間内に本件商標が付された商品をアースカンパニー社等に販売したと認めることはできない。
（４）小括
　以上のとおり，商品カタログ（乙１，乙２）による本件商標の使用は，サムライ社又は村瀬商会の出所表示に係るものであって，本件商標権者及び通常使用権者の使用とは認められないし，本件商標の通常使用権者と認められるミック社に係る取引は，商品カタログ（乙１）に掲載された商品の品番と納品書の品番とが一致するとしても，いずれもミック社が，要証期間内に商品に本件商標を付したものを譲渡又は引渡ししたものと認めることはできない。
　その他，被請求人が提出した証拠によっては，要証期間内に，本件審判の請求に係る指定商品について，本件商標の使用があったことを認めるに足る事実を見いだせない。
３　まとめ
　以上のとおりであるから，被請求人は，要証期間内に日本国内において，商標権者，専用使用権者又は通常使用権者が本件審判の請求に係る指定商品のいずれかについての本件商標の使用をしていた事実を証明したものとは認められない。
　また，被請求人は，本件審判の請求に係る指定商品について本件商標の使用をしていないことについて正当な理由があることも明らかにしていない。
　したがって，本件商標の登録は，その指定商品中の「結論掲記の指定商品」について，商標法第５０条の規定により，取り消すべきものである。
　よって，結論のとおり審決する。